(57)【特許請求の範囲】
【請求項１】
複数のレンズを収納するレンズケースにおいて、
レンズの外形より大きい開口部と該開口部にレンズを入れたときにレンズを受け止めることができる受け部とが複数形成された板状の受け部材と、
前記開口部に入れたレンズの周縁部を押さえる第１位置と前記第１位置からスライドしてレンズを前記開口部に入れることができる第２位置との間をスライド変位可能な、前記開口部に対応して複数の押さえ部材が形成された板状の蓋部材と、
を有し、前記受け部材と前記蓋部材のいずれかを、前記第１位置となるように弾性付勢したことを特徴とするレンズケース。
【請求項２】
前記受け部材は、複数の前記開口部を平面的に配置したことを特徴とする請求項１に記載のレンズケース。
【請求項３】
前記弾性付勢は、前記受け部材と前記蓋部材のいずれか一方に一体的に形成された弾性部により弾性付勢されていることを特徴とする請求項１又は２に記載のレンズケース。
【請求項４】
前記押さえ部材は、前記第１位置に位置したとき、前記開口部に入れたレンズの周縁部を、レンズを入れる方向に押さえることを特徴とする請求項１〜３の何れか１つに記載のレンズケース。
【請求項５】
前記開口部にレンズを入れたときにレンズと前記開口部との間隙の間隔をΔｄ、前記押さえ部材が前記第１位置に位置したときに前記開口部へ突出する長さをｌとすると、
Δｄ＜ｌ
であることを特徴とする請求項４に記載のレンズケース。
【請求項６】
収納するレンズのフランジの長さをｔとしたとき、
ｌ＜ｔ、
Δｄ＜ｔ
であることを特徴とする請求項５に記載のレンズケース。
【請求項７】
前記受け部材と前記蓋部材とを合わせた厚さが、収容するレンズの厚さより厚いことを特徴とする請求項１〜６の何れか１つに記載のレンズケース。
【発明の詳細な説明】
【０００１】
【発明の属する技術分野】
本発明は、複数のレンズを収納するレンズケースに関する。
【０００２】
【従来の技術】
複数のレンズを収納するレンズケース２としては、従来図１３に示すようなレンズケースが用いられている。このレンズケース２は、一端が解放され、他端がキャップ４で塞がれた筒状の樹脂製レンズケース本体３で、解放された一端からレンズ１を挿入し、所定数のレンズ１を挿入したのち解放された一端をキャップ５で塞ぐことによって、複数のレンズ１を収納する。これにより、多数のレンズ１を極めて効率的に収納することができていた。
【０００３】
【発明が解決しようとする課題】
ところが、上述したレンズケースにおいては、解放された一端から複数のレンズを順次挿入するため、例えば、挿入した複数のレンズのうち１つでも傾いてしまうと、そのレンズが詰まって、それ以降に挿入するレンズを挿入することができず、或いは、取り出す際には、取り出すことができなくなる。しかも、傾いたレンズは、本来保護しなければならないレンズ面が擦過されるなど傷が付き、レンズとして所期の機能を果たさなくなってしまう。このように、従来のレンズケースにおいては、傾いてレンズがあると出し入れができなくなり、更に、レンズに傷がつく。
【０００４】
そこで、本発明は、例え傾いて収納したレンズがあったとしても、出し入れができる複数のレンズを収納するレンズケースを提供することを課題とする。
【０００５】
【課題を解決するための手段】
上記課題は、以下の構成により解決することができる。
【０００６】
（１）  複数のレンズを収納するレンズケースにおいて、レンズの外形より大きい開口部と該開口部にレンズを入れたときにレンズを受け止めることができる受け部とが複数形成された板状の受け部材と、前記開口部に入れたレンズの周縁部を押さえる第１位置と前記第１位置からスライドしてレンズを前記開口部に入れることができる第２位置との間をスライド変位可能な、前記開口部に対応して複数の押さえ部材が形成された板状の蓋部材と、を有し、前記受け部材と前記蓋部材のいずれかを、前記第１位置となるように弾性付勢したことを特徴とするレンズケース。
【０００７】
（２）  前記受け部材は、複数の前記開口部を平面的に配置したことを特徴とする（１）に記載のレンズケース。
【０００８】
（３）  前記弾性付勢は、前記受け部材と前記蓋部材のいずれか一方に一体的に形成された弾性部により弾性付勢されていることを特徴とする（１）又は（２）に記載のレンズケース。
【００１８】
（４）  前記押さえ部材は、前記第１位置に位置したとき、前記開口部に入れたレンズの周縁部を、レンズを入れる方向に押さえることを特徴とする（１）〜（３）の何れか１つに記載のレンズケース。
【００１９】
（５）  前記開口部にレンズを入れたときにレンズと前記開口部との間隙の間隔をΔｄ、前記押さえ部材が前記第１位置に位置したときに前記開口部へ突出する長さをｌとすると、Δｄ＜ｌであることを特徴とする（４）に記載のレンズケース。
【００２０】
（６）  収納するレンズのフランジの長さをｔとしたとき、ｌ＜ｔ、Δｄ＜ｔであることを特徴とする（５）に記載のレンズケース。
【００２２】
（７）  前記受け部材と前記蓋部材とを合わせた厚さが、収容するレンズの厚さより厚いことを特徴とする（１）〜（６）の何れか１つに記載のレンズケース。
【００２３】
【発明の実施の形態】
まず、本発明の実施の形態について説明するに先立ち、各実施の形態のレンズケースに収納される好適なレンズについて説明する。
【００２４】
図１は、本発明のレンズケースに収納される好適なレンズの図であり、（ａ）は正面図、（ｂ）は断面図である。なお、図１（ａ）に示した破線（円形状）は、レンズ１０がレンズとして機能する有効径の範囲を示している。
【００２５】
本発明のレンズケースに収納される好適なレンズ１０は、光ディスク（ＣＤ、ＤＶＤ、ＭＯなど）を再生／記録するためのピックアップ光学系に用いられる光ピックアップ用レンズ、例えば、対物レンズやコリメータレンズである。これらレンズ１０には、近年の金型加工技術などの向上によりプラスチックで成形されている。プラスチックで成形されているために、耐環境（湿度、温度）性・レンズ部１２の保護などのために、これらレンズ１０は、レンズとして機能するレンズ部１２の周囲に長さｔのフランジ１１が設けられている。即ち、レンズ１０は、その周縁部にフランジ１１を有している。なお、このフランジ１１は、図１（ｂ）に示すように、レンズ部１２がフランジ１１より突出した（図１（ｂ）において左側に突出）ものでなく、フランジ１１がレンズ部１２より突出してレンズ部１２をフランジ１１が保護するもの（図１３で示されるようなレンズ１）であってもよい。
【００２６】
ところで、一般に、レンズは、レンズとして機能させる有効径内だけで構成されるものではなく、有効径の外側には若干の幅（レンズの周縁部）を持たせている。従って、本発明のレンズケースに収納されるレンズとして、上述した好適なレンズ１０の他に、フランジのないレンズ（ガラスで形成されたものでもよい）でもよく、この場合、レンズの周縁部とは、レンズの有効径より外側の部分である。
【００２７】
（第１の実施の形態）
第１の実施の形態について、図２〜図６に基づいて説明する。本実施の形態のレンズケースは、受け部材２０と蓋部材３０の２部材から構成されたものである。
【００２８】
まず、レンズケースの受け部材２０について、第１の実施の形態の受け部材を示す図２に基づいて説明する。なお、図２（ａ）は受け部材の外観斜視図であり、（ｂ）は受け部を上面から見た図であり、（ｃ）は受け部の断面図である。
【００２９】
受け部材２０は、平板状の部材であり、後述する開口部２１、受け部２２、弾性部２３、ストッパー２４などとともに樹脂等の成形により一体成形されている。この受け部材２０には、複数の開口部２１及び複数の受け部２２が受け部材２０の平面と同平面状に配置（換言すると、受け部材２０は、開口部２１と受け部２２とが配置された平面と同平面の平板状の部材である）されている。なお、本実施の形態では５×５の２５個の開口部２１及び受け部２２が設けられているが、この数に限られることはない。
【００３０】
開口部２１は、レンズ１０の外形ｄＬより大きい開口径ｄａで開口（図５参照）している。本実施の形態では、この開口部２１にはテーパー２１１を設けることにより、レンズ１０の入れるときの操作性を向上させている。なお、本実施の形態ではテーパー２１１としたが、これに限られず、Ｒなどで構成してもよく、要は、開口部２１より広くすればよい。
【００３１】
受け部２２は、開口部２１と連通しており、開口部２１からレンズを入れたときにレンズ１０を受け止めることができるものである。このために、本実施の形態では、開口部２１と同径の円筒状の貫通孔の下方（図２（ｃ）参照）に複数の受け爪部２２１を設けており、貫通孔の内壁と複数の受け爪部２２１でレンズを受け止める。この複数の受け爪部２２１は、レンズ１０の外形ｄＬより小さい径まで突出し、かつ、レンズ１０のレンズ部１２（少なくとも、レンズ１０有効径）までかからず、レンズ１０を受け止めるように設けている。そして、この複数の受け爪部２２１の間の切り欠きは、レンズ１０の外形ｄＬより大きい径まで切り欠かれ、受け爪部２２１の更に内径側（受け爪部２２１が突出していない箇所）とともに、平板状の受け部材２０を貫通している。従って、レンズ１０を受け部２２で受けたとき、レンズ１０のレンズ部１２は後述する蓋部材３０が覆う面とは反対側（図２（ｃ）において下側）の面（以下、下面ともいう）から露呈するよう構成されており、これにより、レンズケースにレンズ１０を収納したままでコートなどの処理が可能となる。また、受け爪部２２１でレンズ１０を受け止めたとき、受け部材２０の下面側からレンズ１０が突出しないように、受け部材２０の厚みや受け爪部２２１の配置が決められており、これにより、レンズ１０を収納したときにレンズ１０が他の物とぶつかる可能性が減り、レンズ１０の傷つきを防止できる。なお、本実施の形態では、レンズ１０を受け部２２で受けたとき、レンズ１０のレンズ部１２は下面から露呈するよう構成したが、露呈しないように、即ち、受け部２２を貫通しないように構成してもよく、この場合、レンズ１０の傷付きを防止できる。
【００３２】
また、受け部材２０に一体的に設けられている弾性部２３は、後述する蓋部材３０の係合部３３と係合して、蓋部材３０を第１位置（後述するが、レンズ１０を押さえ（換言すると保持し）ている位置）の方向へ弾性付勢する部材である。これにより、レンズケースとしては、常に第１位置の方向にあるので、ユーザーが気をはらわなくても、レンズ１０がレンズケースから離れることはない。この弾性部２３は、受け部材２０の本体に固定している固定端を軸にして、蓋部材３０が第１位置と第２位置（後述するが、開口部２１からレンズ１０を入れるときに第１位置から退避してレンズ１０を受け部２２に入れることができる位置）との間を変位する方向（図２（ａ）においてＡの方向）に弾性変形するよう、受け部材２０の本体から一端が自由端となるように設けられている。なお、本実施の形態では、この弾性部２３を受け部材２０と一体的に設けたが、弾性変形をするバネなどで構成してもよく、また、受け部材２０と別体、或いは、蓋部材３０に設けてもよい。
【００３３】
また、受け部材２０に一体的に設けられている規制部材であるストッパー２４は、後述する蓋部材３０の掛止部３４と掛合して、蓋部材３０の動きを規制する部材であり、第１ストッパー２４１及び第２ストッパー２４２からなる。第１ストッパー２４１は、弾性部２３の弾性力に抗して、蓋部材３０を第１位置に維持するための部材である。この第１ストッパー２４１は、蓋部材３０を弾性部２３側から受け部材２０と掛合させる際に一旦退避し、掛合した後は蓋部材３０の掛止部３４と掛合するように、受け部材２０の平面と平行な平面上であってＡ方向（蓋部材３０を弾性部２３側から受け部材２０と掛合させるときの蓋部材３０を挿入する方向）と直交する方向に弾性変形するように構成されている。第２ストッパー２４２は、蓋部材３０が第２位置に位置したときに、その動きを規制し、位置を維持する部材である。この第２ストッパー２４２は、蓋部材３０を弾性部２３側から受け部材２０と掛合させ、第１ストッパー２４１が一旦退避した後に掛合した（第１位置）蓋部材３０の掛止部３４が、第２位置より更に動かない（第１位置とは反対側へ）ように、掛止部３４を掛合することが可能となっている。
【００３４】
また、受け部材２０には、蓋部材３０を弾性部２３側から受け部材２０と掛合させるときに蓋部材３０を挿入する際及び蓋部材３０が第１位置と第２位置との間を変位する際に、蓋部材３０の掛止部３４が摺動する被掛合部２５がＡ方向に伸びて設けられている。
【００３５】
次に、レンズケースの蓋部材３０について、第１の実施の形態の複数の押さえ部材を一体化した蓋部材を示す図３に基づいて説明する。なお、図３は（ａ）は斜め上方から見た斜視図であり、（ｂ）は斜め下方から見た斜視図であり、（ｃ）は押さえ部材を上方から見た図である。
【００３６】
蓋部材３０は、平板状の部材であり、後述する複数の押さえ部材３１、複数の貫通孔３２、係合部３３及び掛止部３４とともに樹脂等の成形により一体化されている。この複数の押さえ部材３１及び貫通孔３２は、平面上に配置されており、蓋部材３０として一体化されている。また、この配置は、平板状の蓋部材３０の平面と同平面上に配置されている。なお、本実施の形態では、上述した受け部材２０の開口部２１及び受け部２２に対応して、それぞれ５×５の２５個の押さえ部材３１及び貫通孔３２が設けられているが、この数に限られることはない。
【００３７】
押さえ部材３１は、後述するように蓋部材３０が押さえ部材３１とともに第１位置に位置したときに、前述した受け部２２が受け止めたレンズ１０の周縁部（本実施の形態では、フランジ部１１）を押さえることができるものである。このために、本実施の形態では、貫通孔に複数の押さえ爪部３１１が設けられており（本実施の形態では、レンズ１０を３点で押さえるように押さえ爪部３１１が３つ設けられている）、この複数の押さえ爪部３１１で受け部２１で受け止めたレンズ１０のフランジ部１１の上面を押さえる。この複数の押さえ爪部３１１は、レンズ１０の外形ｄＬより小さい径まで突出し、かつ、レンズ１０のレンズ部１２（少なくとも、レンズ１０有効径）までかからず、レンズ１０の周縁部を押さえるように設けている。そして、この複数の押さえ爪部３１１の間の切り欠きは、レンズ１０の外形ｄＬより大きい径まで切り欠かれ、押さえ爪部３１１の更に内径側（押さえ爪部３１１が突出していない箇所）とともに、平板状の蓋部材３０を貫通している。従って、受け部２２で受け止められたレンズ１０を押さえたとき、レンズ１０のレンズ部１２は上側の面から露呈するよう構成されており、これにより、レンズケースにレンズ１０を収納したままでコートなどの処理が可能となる。また、押さえ爪部３１１でレンズ１０を押さえたとき、蓋部材３０の上面側からレンズ１０が突出しないように、蓋部材３０或いは押さえ部材３１の厚みや押さえ爪部３１１の配置が決められており、これにより、レンズ１０を収納したときにレンズ１０が他の物とぶつかる可能性が減り、レンズ１０の傷つきを防止できる。なお、本実施の形態では、受け部２２で受け止めたレンズ１０を押さえ部材３１で押さえたとき、レンズ１０のレンズ部１２は上面から露呈するよう構成したが、露呈しないように、即ち、押さえ部材３１を貫通しないように構成してもよく、この場合、レンズ１０の傷付きを防止できる。
【００３８】
なお、本発明において「押さえる」とは、受け部２２で受け止められたレンズ１０が抜け出ないように押さえればよいのであって、しっかりと保持（レンズ１０の周縁部と押さえ部材３１とが接触する）してもよいし、多少のガタつきを以て押さえ部材３１を配置してもよい。
【００３９】
貫通孔３２は、蓋部材３０が押さえ部材３１とともに第２の位置に位置したとき（この位置では、押さえ部材３１によるレンズ１０の周縁部の押さえが解除されている）、レンズ１０を蓋部材３０の上面側から受け部２２へ出し入れすることが可能にする孔である。そのため、この貫通孔３２は、蓋部材３０が第２位置にあるときに前述した受け部材２０の開口部２１に対応した位置にレンズ１０の外形ｄＬより大きな径の孔が設けられている。また、本実施の形態では、この貫通孔３２は、上述の押さえ部材３１の貫通孔と連なった孔になっており、蓋部材３０が第１位置と第２位置との間の変位する距離を小さくして操作性を向上させるだけでなく、レンズケースの小型化を図っている。
【００４０】
また、蓋部材３０に一体的に設けられている係合部３３は、前述した受け部材２０の弾性部２３と係合して、蓋部材３０を第１位置の方向へ弾性付勢する部材である。
【００４１】
また、蓋部材３０に一体的に設けられている掛止部３４は、受け部材２０の被係合部２５と掛合して、受け部材２０と蓋部材３０とを一体的にする部材である。また、この掛止部３４は、蓋部材３０を弾性部２３側から受け部材２０と掛合させるときに蓋部材３０を挿入する際及び蓋部材３０が第１位置と第２位置との間を変位する際に、受け部材２０の被係合部２５と摺動するものでもある。更に、掛止部３４は、受け部材２０の第１ストッパー２４１と掛合して（掛合するのは、４つの掛止部３４のうち、係合部３３とは反対側の２つの掛止部３４である）、弾性部２３の弾性力に抗して、蓋部材３０を第１位置に維持するための部材である。更に、掛止部３４は、第２ストッパー２４２と掛合して、掛合するのは、４つの掛止部３４のうち、係合部３３とは反対側の２つの掛止部３４である）、蓋部材３０を第２位置に維持するための部材である。本実施の形態では、この掛止部３４は、平板状の蓋部材３０から突出した鉤型形状となっている。
【００４２】
次に、本実施の形態の使用状態について、図４、５に基づいて説明する。図４は、第１の実施の形態の使用状態時を示す概略図であり、（ａ）はレンズ１０を収納しているときの図であり、（ｂ）はレンズ１０を出し入れするときの図である。図５は第１の実施の形態の使用時の拡大図であり、（ａ）はレンズ１０を収納しているときの図であり、（ｂ）はレンズ１０を出し入れするときの図である。なお、図５中には、受け爪部２２１及び押さえ爪部３１１の一部（断面部分）のみを示している。
【００４３】
本実施の形態のレンズケースを使用状態にするには、まず、蓋部材３０を受け部材２０の弾性部２３側から、掛止部３４を被係合部２５に掛止させながら摺動させるように挿入し、この挿入動作に伴い第１ストッパー２４１が掛止部３４により一旦退避したのち、第１ストッパー２４１の弾性力により復帰し、第１ストッパー２４１と掛止部３４が掛合させる。これで、掛止部３４が被掛合部２５と掛合し、受け部材２０と蓋部材３０とが一体化し、使用準備完了となる。
【００４４】
このレンズケースを使用するには、上述の準備完了の状態のとき、蓋部材３０は、押さえ部材３１が受け部２２によって受け止められたレンズ１０を押さえる位置である第１位置に位置している（図４（ａ）、図５（ａ）参照）。このため、押さえ爪部３１１が受け部２２に受け止められたレンズ１０の周縁部（フランジ１１）の上面を、即ち、レンズ１０の周縁部をレンズ１０を入れる方向から３点で押さえることにより、確実にレンズ１０を収納できる。このとき、本実施の形態では、係合部３３と係合した弾性部２３の弾性力により、蓋部材３０が第１位置の方向に付勢されている。このため、ユーザーがこのレンズケースをひっくり返したとしても、レンズケースに収納されたレンズ１０が落ちることはなく、操作性が向上する。
【００４５】
一方、レンズ１０を出し入れする際には、弾性部２３の弾性力に抗して、蓋部材３０を挿入した方向に（複数の受け部２２及び押さえ部材３１が配置された平面と同平面上を）スライドさせると、蓋部材３０は（蓋部材３０と一体化されているので）押さえ部材３１を伴って、第２位置に移動する（図４（ｂ）、図５（ｂ）参照）。このとき、掛止部３４が、第２ストッパー２４２と掛合して、蓋部材３０が更にスライドしないように（即ち、第２位置を維持するように）その動きを規制して、貫通孔３２が、開口部２１の直上に位置することになる。これにより、押さえ部材３１が第１位置より退避して、押さえ部材３１によるレンズ１０の押さえが解除され、レンズ１０の出し入れが可能になる。本実施の形態では、このとき、蓋部材３０の移動に伴って貫通孔３２も移動し、押さえ部材３１が第２位置に位置したときに、この貫通孔３２が開口部２１及び受け部２２に対応した位置（即ち、直上）に位置する。これにより、この貫通孔３２を介して開口部２１へレンズ１０の出し入れが可能となる。
【００４６】
レンズ１０を収納したレンズケースを運ぶには、図６に示すような、箱４０が用いられる。箱４０の内壁には、レンズケースを案内するための複数の溝４１が形成されており、この溝４１に沿って、レンズケースを箱４０内に収容する。この溝４１はレンズケースを出し入れする際には案内の役割を果たし、入れた後はレンズケースを整然と並べる役割を果たし、更に、箱４０内にいっぱいにレンズケースを入れていなくても、倒れないように支持する役割を果たすものである。なお、本実施の形態のレンズケースによるとレンズケース自体が平板状になるので、この溝４１が無くても、箱４０内に整然と並べることができる。また、箱４０には、外部に持ち運びを容易にするための把手４２が設けられている。
【００４７】
このように、本実施の形態では、開口部２１と受け部２２とを複数有した受け部材２０と、第１位置と第２位置との間を変位可能な複数の押さえ部材３１と、を有するので、個々のレンズ１０を個々に受け止めることができ、例え、傾いた収納をした場合であっても、他のレンズ１０の出し入れができ、他のレンズ１０に被害を及ぼすことがない。更に、開口部２１（受け部２２及び押さえ部材３１）を平面的に配置したので、レンズケースの厚さが薄く構成することが可能となり、特に、受け部材２０及び蓋部材３０を板状としたので、更にコンパクトになる。しかも、近年のピックアップ装置の小型・軽量化の要求から、レンズの占有スペースの制約を受け、フランジ１１の長さｔが薄くなってきているが、その場合であっても、レンズ１のレンズ部を傷付けずに収納することができる。
【００４８】
更に、本実施の形態では、受け部材２０と蓋部材３０の２部材でレンズケースを構成することができるので、非常に安価となる。しかも、それぞれの部材は、樹脂等で一体成形できるので、更に低コストとなる。
【００４９】
また、本実施の形態では、複数の押さえ部材３１を蓋部材３０として一体的に構成したので、１操作でレンズ１０の出し入れを行うことができ、操作性が向上（特に機械等による自動化に有効である）するが、複数の押さえ部材３１が各々独立して第１位置と第２位置との間を変位するように構成してもよい。
【００５０】
また、本実施の形態では、受け部２２及び押さえ部材３１にはそれぞれ受け部材２０及び蓋部材３０を貫通した孔がある、即ち、レンズケースに収納したレンズ１０はそのレンズ部１２がレンズケースの外表面に露呈しているため、レンズケースにレンズ１０を収納したままでコートなどの処理が可能となる。しかしながら、本実施の形態のようにレンズ１０を露呈させずに、即ち、受け部２２及び押さえ部材３１を貫通しないように構成してもよく、この場合、レンズ１０の傷付きを防止できる。
【００５１】
また、本実施の形態では、第１位置と第２位置との間の変位を蓋部材３０（押さえ部材３１）をスライドさせることにより、変位させるためのスペース（作業スペースなど）をさほど必要としないように可能としたが、蓋部材３０（押さえ部材３１）を回動させることにより、押さえ部材３１を第１位置と第２位置との間を変位させてもよい。
【００５２】
また、本実施の形態では、受け部２２の受け爪部２２１と押さえ部材３１の押さえ爪部３１１とに切り欠きを設けることにより、例えば、レンズケースに収納したレンズ１０にエアーを吹き付け、レンズ部１２に付着したゴミなどを除去する際には、除去されたゴミがこの切り欠きを通してレンズケース外へ吹き出され、除去されたゴミが再度レンズ部１２に付着することはない。
【００５３】
なお、押さえ部材３１によりレンズ１０を押さえるためには、受け部２２にレンズ１０を入れたときにレンズ１０と開口部２１との間隙の間隔をΔｄ、押さえ部材３１が第１位置に位置したときに開口部２１から突出する長さをｌとすると、Δｄ＜ｌの条件を満たすことが好ましい（図５参照）。ここで、Δｄは、開口部２１の径ｄａとレンズ１０の外形ｄＬとの差（Δｄ＝ｄａ−ｄＬ）である。更に、収納するレンズ１０のフランジ部１１の長さ（光軸と直交する方向の長さ）をｔとしたとき、ｌ＜ｔ、Δｄ＜ｔの条件を満たすことにより、傷つけずに押さえることができ更に好ましい。
【００５４】
また、本実施の形態では、押さえ部材３１の押さえ爪部３１１は、レンズ１０の周縁部を、レンズ１０を入れる方向に押さえることにより、確実に収納するようにしたが、図７（なお、図７中には、受け爪部２２１及び押さえ爪部３１１の一部（断面部分）のみを示している）に示すように、押さえ部材３１として、レンズ１０の上面を押さえる押さえ爪部３１１の他に、この押さえ爪部３１１に段差を設けたレンズ１０を入れる方向と直交する方向（レンズ１０の光軸と直交する方向）にレンズ１０の周縁部を押さえる部材３１２を設けてもよい。この場合、レンズ１０は、しっかりと保持されることとなり、不用意にレンズ１０が抜け出ることが無くなる。
【００５５】
また、本実施の形態では、押さえ部材３１が第１位置に位置したとき、受け部材２０と押さえ部材３１とを合わせた厚さ（図５において上下方向の厚さ）が、収容するレンズ１０の厚さ（光軸方向において最も厚い部分の厚さであり、図５でいうと、光軸上である）より厚くなるようにすることにより、レンズケースを置いた場合であっても、レンズ１０に傷つくことはない。
【００５６】
なお、以上の説明では、樹脂によって受け部材２０及び蓋部材３０を形成したが、金属で形成してもよい。この場合、レンズ１０のコート処理を施すときに真空にする際に、レンズケースの吸水率が低いので、真空をひきやすくなる（なお、樹脂であっても、吸水率の低い樹脂を使うことでも、同様の効果を得る）。
【００５７】
（第２の実施の形態）
第２の実施の形態について、図８に基づいて説明する。図８は、第２の実施の形態を示す図であり、（ａ）はレンズケースの斜視図であり、（ｂ）はレンズを収納しているときの拡大図である。第１の実施の形態では蓋部材３０をスライドさせることにより、押さえ部材３１を第１位置と第２位置との間を変位させたが、本実施の形態では、蓋部材３０を回動させることにより、押さえ部材３１を第１位置と第２位置との間を変位させるものである。また、第１の実施の形態では押さえ爪部３１１（押さえ部材）によってレンズの周縁部を押さえていたが、本実施の形態では蓋部材３０に設けたワイヤー３１２によってレンズの周縁部を押さえるものである。なお、本実施の形態においては、第１の実施の形態と同じ部材には同じ番号を付与し、説明を省略することもある。
【００５８】
受け部材２０は、第１の実施の形態の受け部材２０に設けた弾性部２３、ストッパー２４、被掛合部２５を除き、蓋部材３０を回動させるための軸５０を軸支する軸支部２６を設けている。その他（開口部２１及び受け部２２）は、第１の実施の形態と同じなので、説明を省略する。
【００５９】
本実施形態においては、蓋部材３０は、枠体で構成されており、枠体内に押さえ部材としてのワイヤー３１２が張られている。このワイヤー３１２は、レンズ１０を光軸方向からみたときに、両端（レンズ１０の周縁部であるフランジ部１１）を押さえることができるように複数本張られている。また、蓋部材３０には、受け部材２０の軸支部２６によって軸支されている軸５０に蝶着される蝶着部３５が設けられている。従って、レンズケースは、蓋部材３０を軸５０を中心にして回動させることができるよう構成している。そして、蓋部材３０を受け部材２０に重ね合わせた（閉じた）とき、即ち、押さえ部材であるワイヤーが第１位置に位置したとき、ワイヤー３１２がレンズ１０の周縁部であるフランジ部１１を上から押さえるようになっている（図８（ｂ）参照）。そして、受け部２２に受け止められたレンズ１０を出し入れする際には、蓋部材３０を回動させて解放し、即ち、ワイヤー３１２を第２位置に位置させて、ワイヤー３１２によるレンズ１０の押さえを解除して行う。
【００６０】
このように、本実施の形態では、開口部２１と受け部２２とを複数有した受け部材２０と、第１位置と第２位置との間を変位可能な複数の押さえ部材３１としてのワイヤー３１２と、を有するので、個々のレンズ１０を個々に受け止めることができ、例え、傾いた場合であっても、他のレンズ１０は出し入れができ、他のレンズ１０に被害を及ぼすことがない。更に、開口部２１（受け部２２及び押さえ部材３１）を平面的に配置したので、レンズケースの厚さが薄く構成することが可能となり、特に、受け部材２０及び蓋部材３０を板状としたので、更にコンパクトになる。また、本実施の形態においては、ワイヤー３１２を蓋部材３０に張るだけでレンズ押さえ部材を構成することができ、非常に簡単な機構でレンズケースを構成することができる。また、蓋部材３０の開閉動作に伴い、複数の受け部材２０に受け止められたレンズ１０の出し入れを行うことができ、操作性が向上する。
【００６１】
なお、本実施の形態においては、蓋部材３０を第１位置に保持するように、蓋部材３０を第１位置の方向へ弾性付勢するようなバネなどの弾性部材を設けてもよく、或いは、蓋部材３０が第１位置に位置したときに第１位置の状態を維持するロック部材などを設けてもよい。
【００６２】
（第３の実施の形態）
第３の実施の形態について、図９に基づいて説明する。図９は、第３の実施の形態を示す図であり、（ａ）はレンズケースの斜視図であり、（ｂ）はレンズケースの断面図である。上述した第１の形態では、蓋部材３０が第２位置に位置したときにも、蓋部材３０と受け部材２０とは一体化していたが、本実施の形態では、別体となるものである。
【００６３】
受け部材２０及び蓋部材３０は、殆ど第１の実施の形態と同様であるが、本実施の形態の受け部材２０は、第１実施の形態で受け部材２０に設けられた弾性部２３ストッパー２４、被係合部２５を除き、平板状の受け部材２０に複数の開口部２１と受け部２２を設けたものである。また、本実施の形態の蓋部材３０は、第１の実施の形態で蓋部材３０に設けられた貫通孔３２、係合部３３、掛止部３４を除き、平板状の蓋部材３０に複数の押さえ部材３１を設けたものである。なお、第１の実施の形態と同じものは、同じ番号を付与して説明を省略する。
【００６４】
本実施の形態では、蓋部材３０（押さえ部材３１）が第１位置を位置するときに、受け部材２０と蓋部材３０を一体化して押さえ部材３１である押さえ爪部３１１がレンズ１０の周縁部を押さえることを維持させるために、保持部材５１がある。この保持部材５１は、受け部材２０と蓋部材３０とを一体化させるための部材であり、蓋部材３０が第１位置に位置させたときその側方から両者を挟むように、断面形状がコの字状の形態を呈している。
【００６５】
レンズ１０を収納する際には、まず、蓋部材３０を受け部材２０上から退避させておく（第２位置）。そして、受け部材２０の開口部２１からレンズ１０を入れて、受け部２２の受け爪部２２１でレンズ１０を受け止める。そして、各受け部２２（開口部２１）に対応した押さえ部材３１が、各々の受け部２２に受け止められたレンズ１０の周縁部を押さえるように、このレンズ１０が受け止められた受け部材２０の上方から蓋部材３０を載せる（この位置が第１位置）。その後、この第１位置を維持するように、保持部材５１で以て、受け部材２０と蓋部材３０とを一体化する。
【００６６】
このように、本実施の形態では、開口部２１と受け部２２とを複数有した受け部材２０と、第１位置と第２位置との間を変位可能な複数の押さえ部材３１と、を有するので、個々のレンズ１０を個々に受け止めることができ、例え、傾いた場合であっても、他のレンズ１０は出し入れができ、他のレンズ１０に被害を及ぼすことがない。更に、開口部２１（受け部２２及び押さえ部材３１）を平面的に配置したので、レンズケースの厚さが薄く構成することが可能となり、特に、受け部材２０及び蓋部材３０を板状としたので、更にコンパクトになる。また、本実施の形態では、受け部材２０及び蓋部材３０の構成を簡単にして、レンズケースを構成することができるので、各々の部材の製造が容易となる。
【００６７】
（第４の実施の形態）
第４の実施の形態について、図１０に基づいて説明する。図１０は、第４の実施の形態を示す図であり、（ａ）は受け部材２０の上面図であり、（ｂ）は蓋部材３０の上面図であり、（ｃ）は受け部材２０と蓋部材３０とを合わせたレンズケースの（ｂ）におけるＡ−Ａ断面図である。上述した第１〜第３の実施の形態では、蓋部材３０の移動（スライドや回動など）という１操作によって、複数の押さえ部材３１の第１位置と第２位置との間の変位を、行ったが、本実施の形態では、複数の押さえ部材３１各々が独立して第１位置と第２位置との間の変位を行うものである。なお、第１の実施の形態と同じものは、同じ番号を付与して説明を省略する。
【００６８】
本実施の形態の受け部材２０は、第１実施の形態で受け部材２０に設けられた弾性部２３ストッパー２４、被係合部２５を除き、平板状の受け部材２０に複数の開口部２１と受け部２２を設け、更に、蓋部材３０を掛止するための掛合部２６を設けたものである。この掛合部２６は、押さえ部材２０と蓋部材３０とが一体化するように、蓋部材３０を掛止するものであり、図１０（ｃ）において左右方向に弾性変形するものであり、蓋部材３０が容易に外れないようにしている。また、本実施の形態の蓋部材３０は、複数の押さえ部材３１が設けられ、各々の押さえ部材３１は受け部材２０の開口部２１及び受け部２２に対応して設けられている。また、この複数の押さえ部材３１各々は、複数（本実施の形態では４つ）の押さえ爪部３１１が設けられており、更に、この押さえ爪部３１１が図１０（ｃ）において左右方向に弾性変形可能なように、空間３１３が設けられている。
【００６９】
従って、本実施の形態の押さえ部材３１は、各々の押さえ部材３１、更に、各々の押さえ爪部３１１がレンズ１０の周縁部を押さえることができる第１位置と、空間３１３を利用して弾性変形して第１位置から退避した第２位置との間を変位可能に設けられている。このため、レンズ１０を出し入れする際には、出し入れしたいレンズ１０に対応する受け部２２に応じた押さえ爪部３１１を、第２位置へ弾性変形させて行う。そして、レンズ１０を入れた後は、押さえ爪部３１１が第１位置の方向に付勢されているので、自然と第１位置へ戻り、受け部２２に入れたレンズ１０の周縁部を押さえるようになる。
【００７０】
このように、本実施の形態では、開口部２１と受け部２２とを複数有した受け部材２０と、第１位置と第２位置との間を変位可能な複数の押さえ部材３１と、を有するので、個々のレンズ１０を個々に受け止めることができ、例え、傾いた場合であっても、他のレンズ１０は出し入れができ、他のレンズ１０に被害を及ぼすことがない。更に、開口部２１（受け部２２及び押さえ部材３１）を平面的に配置したので、レンズケースの厚さが薄く構成することが可能となり、特に、受け部材２０及び蓋部材３０を板状としたので、更にコンパクトになる。また、本実施の形態では、個々の押さえ部材３１を、独立して第１位置と第２位置との間を変位させることができるので、レンズ１０の収納の確実性が向上する。
【００７１】
（第５の実施の形態）
第５の実施の形態について、図１１に基づいて説明する。図１１は、第５の実施の形態を示す図であり、（ａ）は拡大断面図であり、（ｂ）は押さえ部材の斜視図であり、（ｃ）は受け部の斜視図である。上述した第１〜第４の実施の形態では、各々の部材を樹脂等によって一体成形したものであるが、本実施の形態ではアウトサート方式によってレンズケースを形成するものである。更に、本実施の形態は、第４の実施の形態と同様に、複数の押さえ部材３１各々が独立して第１位置と第２位置との間の変位を行うものである。なお、第１の実施の形態と同じものは、同じ番号を付与して説明を省略する。
【００７２】
金属（或いは、樹脂）等で形成された平板状の受け部材２０に、後述する受け部２２及び押さえ部材をアウトサートできるように、複数の孔を平面状に設けておく。一方、受け部２２は樹脂（或いは、金属、アルミニウム）等で形成し、受け爪部２２１が設けている（図１１（ｃ）参照）。この受け部２２を、前述の受け部材２０の孔にアウトサートすることにより、上述した第１〜第４の実施の形態と同様な受け部材２０を構成する。
【００７３】
また、本実施の形態では、押さえ部材３１も樹脂（或いは、金属、アルミニウム）等で形成し、第１位置と第２位置との間を変位可能（弾性変形）なように、押さえ爪部３１１を設けておく。そして、この押さえ部材３１を前述の受け部材２０の孔（若しくは、アウトサートした受け部２２）にアウトサートする。
【００７４】
このように構成したレンズケースは、レンズ１０を入れる際には、レンズケースの上方（押さえ部材３１側）からレンズ１０を押し入れると、押さえ爪部３１１が退避（第２位置へ弾性変形）して、レンズ１０が中に入り、受け部２２の受け爪部２２１によって受け止められる。このとき、押さえ爪部３１１は、その弾性力によって、第１位置に移動して、レンズ１０の周縁部を押さえる。また、レンズ１０を取り出す際には、押さえ爪部３１１を第２位置へ移動させて、レンズ１０の周縁部への押さえを解除して、レンズ１０を取り出すことができる。
【００７５】
このように、本実施の形態においては、開口部２１と受け部２２とを複数有した受け部材２０と、第１位置と第２位置との間を変位可能な複数の押さえ部材３１と、を有するので、個々のレンズ１０を個々に受け止めることができ、例え、傾いた場合であっても、他のレンズ１０は出し入れができ、他のレンズ１０に被害を及ぼすことがない。更に、開口部２１（受け部２２及び押さえ部材３１）を平面的に配置したので、レンズケースの厚さが薄く構成することが可能となる。また、本実施の形態では、個々の押さえ部材３１を、独立して第１位置と第２位置との間を変位させることができるので、レンズ１０の収納の確実性が向上する。また、本実施の形態では、レンズケースに収納したままレンズ１０のコートを行う場合、受け部材２０は金属（或いは、吸水率の少ない樹脂）を用いることが好ましい。また、金属製の受け部材２０に受け部２２及び押さえ部材３１を直接、樹脂成形してもよい。
【００７６】
（第６の実施の形態）
第６の実施の形態について、図１２に基づいて説明する。図１２は、第６の実施の形態を示す図であり、（ａ）はレンズケースの斜視図であり、（ｂ）は拡大断面図である。上述した第１〜第５の実施の形態では、受け部２２と押さえ部材３１とをそれぞれ別体として形成したものであるが、本実施の形態では受け部と押さえ部３１とを一体的に形成したものである。更に、本実施の形態は、第４及び第５の実施の形態と同様に、複数の押さえ部材３１各々が独立して第１位置と第２位置との間の変位を行うものである。なお、第１の実施の形態と同じものは、同じ番号を付与して説明を省略する。
【００７７】
箱形状に形成された受け部材２０には、上述した第１〜第５の実施の形態と同様な複数の開口部２１と受け部２２が形成されている。更に、本実施の形態では、開口部２１の周囲に各々の開口部に応じた押さえ部材３１が形成されている。この押さえ部材３１は、受け部材２０の底面から突起した形状をしており、その先端に押さえ爪部３１１が形成されている。従って、この押さえ部材３１は、受け部材２０の底面と接続されている部分を中心にして回動（押さえ爪部３１１は図１２（ｂ）において左右方向に移動）する、即ち、第１位置と第２位置との間を変位可能に設けられている。
【００７８】
このように構成したレンズケースは、レンズ１０を入れる際には、レンズケースの上方（押さえ部材３１側）からレンズ１０を押し入れると、押さえ爪部３１１が退避（第２位置へ弾性変形）して、レンズ１０が中に入り、受け部２２の受け爪部２２１によって受け止められる。このとき、押さえ爪部３１１は、その弾性力によって、第１位置に移動して、レンズ１０の周縁部を押さえる。また、レンズ１０を取り出す際には、押さえ爪部３１１を第２位置へ移動させて、レンズ１０の周縁部への押さえを解除して、レンズ１０を取り出すことができる。
【００７９】
このように、本実施の形態においては、開口部２１と受け部２２とを複数有した受け部材２０に、第１位置と第２位置との間を変位可能な複数の押さえ部材３１を設けたので、個々のレンズ１０を個々に受け止めることができ、例え、傾いた場合であっても、他のレンズ１０は出し入れができ、他のレンズ１０に被害を及ぼすことがない。更に、開口部２１（受け部２２及び押さえ部材３１）を平面的に配置したので、レンズケースの厚さが薄く構成することが可能となる。また、本実施の形態では、個々の押さえ部材３１を、独立して第１位置と第２位置との間を変位させることができるので、レンズ１０の収納の確実性が向上する。
【００８０】
【発明の効果】
以上詳述したように、本発明によれば、例え傾いたレンズがあったとしても、出し入れができる複数のレンズを収納するレンズケースを提供することができる。
【図面の簡単な説明】
【図１】本発明のレンズケースに収納される好適なレンズの図である。
【図２】第１の実施の形態の受け部材を示す図である。
【図３】第１の実施の形態の複数の押さえ部材を一体化した蓋部材を示す図である。
【図４】第１の実施の形態の使用状態時を示す概略図である。
【図５】第１の実施の形態の使用時の拡大図である。
【図６】レンズケースを運ぶ箱を示す図である。
【図７】第１の実施の形態の変形例を示す図である。
【図８】第２の実施の形態を示す図である。
【図９】第３の実施の形態を示す図である。
【図１０】第４の実施の形態を示す図である。
【図１１】第５の実施の形態を示す図である。
【図１２】第６の実施の形態を示す図である。
【図１３】従来のレンズケースを示す図である。
【符号の説明】
１０  レンズ
２０  受け部材
２１  開口部
２２  受け部
３０  蓋部材
３１  押さえ部材
２２１  受け爪部
３１１  押さえ爪部
【図１】
0003619925.tif 000002
【図２】
0003619925.tif 000003
【図３】
0003619925.tif 000004
【図４】
0003619925.tif 000005
【図５】
0003619925.tif 000006
【図６】
0003619925.tif 000007
【図７】
0003619925.tif 000008
【図８】
0003619925.tif 000009
【図９】
0003619925.tif 000010
【図１０】
0003619925.tif 000011
【図１１】
0003619925.tif 000012
【図１２】
0003619925.tif 000013
【図１３】
0003619925.tif 000014